(57)【要約】【課題】着用しやすく、着用後も着崩れしにくい浴衣を提供する。【解決手段】浴衣１は、後身頃４、該後身頃の右前部に右袖部７を挟んで縫合された右前身頃５、及び後身頃の左前部に左袖部８を挟んで縫合された左前身頃６を有し、後身頃、右前身頃及び左前身頃の長さが臀部付近までの長さである短寸の上衣２と、矩形の布地の左右を重ね合わせて筒状にし、上部１５を縫合することにより形成され、上部が胴部にくる第１の位置と上部が胸上部にくる第２の位置との２つの位置で着用可能な下衣３とで構成される。【選択図】図３
0003126466.tif 000002
【実用新案登録請求の範囲】
【請求項１】
後身頃、該後身頃の右前部に右袖部を挟んで縫合された右前身頃、及び前記後身頃の左前部に左袖部を挟んで縫合された左前身頃を有し、前記後身頃、前記右前身頃、及び前記左前身頃の長さが着用者の臀部近傍までの長さである短寸の上衣と、
矩形の布地の左右を重ね合わせて筒状にし、上部を接合することにより形成され、前記上部が着用者の胴部に位置する第１の位置、及び前記上部が着用者の胸部に位置する第２の位置の２つの位置で着用可能な下衣と、の二部式に構成されたことを特徴とする浴衣。
【請求項２】
前記下衣の前記上部をシャーリング加工により伸縮可能としたことを特徴とする請求項１に記載の浴衣。
【請求項３】
前記下衣の前記上部に対して肩紐が着脱可能であることを特徴とする請求項１又は２に記載の浴衣。
【考案の詳細な説明】
【技術分野】
【０００１】
本考案は、上衣と下衣とに分離された二部式の浴衣に関する。
【背景技術】
【０００２】
従来の浴衣は、後身頃、左右の前身頃、左右の袖、及び衿を有し、上半身から下半身まで延びる一体物として構成されている（例えば、特許文献１参照）。この浴衣を着用する場合は、袖に腕を通し、左右の前身頃をしわやたるみ等が生じないようにかつ裾先が下がらないように整えて重ね合わせ、腰部を紐等で縛り、おはしょりを整えて上から帯を巻く。
【特許文献１】実用新案登録第３０９９９５４号公報
【考案の開示】
【考案が解決しようとする課題】
【０００３】
しかし、浴衣を着用する場合、裾やおはしょりを美しく整えて着用することは容易ではなく、裾先が乱れたりおはしょりが歪んだりすることがある。特に小児の場合は動き回るために、美しく浴衣を着用させることは困難である。また、着用後も動き回るため、浴衣がさらに着崩れるという問題がある。
【０００４】
そこで本考案は、着用しやすく、着用後も着崩れしにくい浴衣を提供することを目的とする。
【課題を解決するための手段】
【０００５】
本考案の浴衣（１）は、後身頃（４）、該後身頃の右前部に右袖部（７）を挟んで縫合された右前身頃（５）、及び前記後身頃の左前部に左袖部（８）を挟んで縫合された左前身頃（６）を有し、前記後身頃、前記右前身頃、及び前記左前身頃の長さが着用者の臀部近傍までの長さである短寸の上衣（２）と、矩形の布地の左右を重ね合わせて筒状にし、上部（１５）を接合することにより形成され、前記上部が着用者の胴部に位置する第１の位置、及び前記上部が着用者の胸部に位置する第２の位置の２つの位置で着用可能な下衣（３）と、を備えた二部式に構成することにより上記課題を解決する。  
【０００６】
本考案の浴衣を着用する場合、まず、下衣に足を通して、その下衣の上部を胴部まで持ち上げて第１の位置にて下衣を着用する。次に上衣に袖を通して前身頃及び後身頃を重ね合わせ、腰部を紐で縛り、その紐の上から帯を巻く。
【０００７】
本考案の下衣は、矩形の布地の左右を重ね合わせて形成したものであり、従来の上下一体となった浴衣の下部と同様の形を有している。上衣の後身頃、右前身頃及び左前身頃の長さは臀部近傍までの長さであり、下衣の上に上衣を着用して腰に帯を巻くと、上衣の下端がおはしょりのように見える。したがって、二部式であるが従来の上下一体となった浴衣を着用しているように見える。
【０００８】
本考案の浴衣の下衣は、足を通して上部を胴部まで持ち上げるだけで第１の位置にて容易に着用できる。下衣は左右が重ね合わされて筒状に形成されて上部が接合されているので、裾の位置は固定されている。ゆえに着用時に左右の前身頃の裾の位置を合わせる必要がない。また上衣を着用する際に、上衣の下端が多少ずれていても、下衣の裾の位置が整っているため全体として乱れたように見えることはない。着用すると上衣の下端がおはしょりのように見えるが、実際には上衣と下衣とが分離されているため本来長さ調整のために設けるおはしょりは存在しない。したがって、おはしょりを整える必要もない。下衣の裾の位置は固定されているため、着用後に動いても裾が乱れることがない。したがって本考案の浴衣は、着用しやすく、着用後も着崩れしにくい。
【０００９】
さらに、本考案の浴衣は、その下衣を、上端が胸部に位置する第２の位置にて着用することもでき、この場合、上衣を着用せずに下衣のみでワンピースとして使用することができる。
【００１０】
本考案の浴衣の一形態において、前記下衣の前記上部をシャーリング加工により伸縮可能にしてもよい。この形態によると、下衣が伸縮可能であるので着用が容易で、身体への密着性がよく、その上端を胴部や胸部に容易に固定することができる。
【００１１】
また、本考案の浴衣の一形態において、前記下衣の前記上部に対して肩紐（２３）が着脱可能であってもよい。この形態によれば、肩紐を取り付けることにより下衣を所定の位置にずれることなく固定することができる。
【００１２】
以上の説明では本発明の理解を容易にするために添付図面の参照符号を括弧書きにて付記したが、それにより本発明が図示の形態に限定されるものではない。
【考案の効果】
【００１３】
以上説明したように本考案の浴衣によれば、着用し易いため着用の手間が省ける。着用後も着崩れしにくいため、長時間の着用も可能となる。また浴衣としてのみならずワンピースとしても使用可能であるため用途が広い。
【考案を実施するための最良の形態】
【００１４】
本考案の一形態の浴衣について説明する。なお、本形態においては小児用の浴衣について説明するがこれに限定されず、本考案は大人用の浴衣に適用することもできる。本形態の小児用の浴衣１は、上衣２と下衣３との二部式に構成され、図１は浴衣１の上衣２、図２は浴衣１の下衣３を示した図である。
【００１５】
上衣２は、図１に示したように、後身頃４、右前身頃５、左前身頃６、右袖部７、左袖部８、及び襟部９を有する。なお、図１において右前身頃５及び右袖部７は左側に位置し、左前身頃６及び左袖部８は右側に位置する。
【００１６】
後身頃４は、被着用者の背部を覆う部分であり、右前身頃５は、後身頃４の右前部に右袖部７を挟んで配置され、肩部２ａと脇部２ｂの略下半分とで後身頃４と縫合されている。左前身頃６は、後身頃４の左前部に左袖部８を挟んで配置され、肩部２ａと脇部２ｂの略下半分とで後身頃４と縫合されている。右袖部７及び左袖部８は、脇部２ｂの上部に腕が挿通できるようにして取り付けられている。後身頃４の中心の上端から、左前身頃６及び右前身頃５に向って襟部９が延びている。また、左右の肩部２ａ，２ａには、縫合部を中心として後身頃４側と右前身頃５側とに延びる肩揚げ部１１が設けられている。襟部９の両端部には結び紐１３が取り付けられ、また右前身頃５と後身頃４との間の脇部２ｂの外側、及び左前身頃６と後身頃４との間の脇部２ｂの内側に、それぞれも結び紐１３が取り付けられている。
【００１７】
下衣３は、図２に示したように、一体となった布地を巻きスカート状にして左右両端を重ね合わせ、所定の位置Ａより上部１５をシャーリング加工したものである。シャーリング加工された上部１５は幅方向に伸縮可能である。また、図中点線で示したように、上部１５の内側には、前後それぞれ２箇所ずつ、計４箇所にボタン１６が取り付けられている（図中前の２箇所のみ点線で図示）。
【００１８】
本形態の小児用浴衣１を小児に着用させる場合、まず、下衣３の上部１５のシャーリング部を広げて小児の足を通させ、その上部１５を小児の胴部まで持ち上げ、第１の位置にて上部１５を固定する。次に上衣２の袖部７，８に腕を通させ、右前身頃５の襟部９の端部の結び紐１３と左前身頃６及び後身頃４間の脇部２ｂの内側の結び紐１３とを結び、左前身頃６の襟部９の端部の結び紐１３と右前身頃５及び後身頃４間の脇部２ｂの外側の結び紐１３とを結ぶ。その後、上衣２の胴部を適宜帯で巻く。
【００１９】
図３は本形態の二部式の浴衣１を、下衣３を第１の位置にして小児が着用した状態を示した図である。本形態の小児用の浴衣１において、下衣３は、矩形の左右を重ね合わせて筒状に形成したものであり、従来の上下一体となった浴衣の下部と同様の形を有している。また上衣２の後身頃４、右前身頃５及び左前身頃６の下端１７は臀部付近であり、胴部を帯１８で巻いた場合その下端１７がおはしょりのように見える。したがって、二部式であるが従来の上下一体となった浴衣を着用しているように見える。
【００２０】
また、本形態の小児用浴衣１は、上部１５のシャーリング部を広げて小児の足を通させて胴部まで持ち上げるだけで下衣３を容易に着用させることができる。このとき、下衣３は巻きスカート状に巻回されて上部１５が縫合されているので、着用時に左右の下端の裾１９の位置を合わせる必要がない。さらに、上衣２の着用時に上衣２の下端２０が多少ずれていても、下衣３の左右の裾１９の位置が合っているため全体として乱れたように見えることはない。また、上衣２と下衣３とが分離されているため、おはしょりを整える必要もない。さらに、着用後も下衣３は、裾１９を合わせた状態で上部１５が縫合されているため、着用後に小児が動き回っても裾１９が乱れることがない。したがって本考案の小児用浴衣１は、動き回る小児でも着せ易く、着用後も着崩れしにくい。
【００２１】
図４は本形態の二部式浴衣１の下衣３に取付け可能な肩紐２２を示した図である。図示したように本形態の肩紐２２は、一端に１つのボタンホール２３ａ、他端に２つボタンホール２３ｂ，２３ｃが形成され、また中央部２４はシャーリング加工されて伸縮可能となっている。この肩紐２２の一端のボタンホール２３ａを、図２で示した下衣３のボタン１６の一つに嵌め合わせ、他端のボタンホール２３ｂ，２３ｃのどちらかを他のボタン１６に嵌め合わせることにより、下衣３に肩紐２２を取り付けることができる。
【００２２】
図５は、下衣３に２本の肩紐２３を取り付けて小児に着用させた状態を示した図である。図示したように、肩紐２３を取り付けて下衣３の上部１５のシャーリング部を小児の胸部まで持ち上げ、下衣３をワンピースとして着用可能することができる。このように本形態の二部式の浴衣１によれば、浴衣１としてのみならずワンピースとしても使用可能であるため用途が広い。また、肩紐２３の他端には図４で示したように２つのボタンホール２３ｂ，２３ｃが設けられているため、着用する小児の身長等に合わせて肩紐２３の長さを調整することができる。また肩紐２３の中央部２４がシャーリング加工されているため、フリルがついたようで見た目も可愛らしい。
【００２３】
以上本考案の好適な実施形態について説明したが、本考案はこれに限定されない。例えば、下衣３の上部１５はシャーリング加工に限定されず、例えばゴム又は紐を通すことによって径方向に伸縮可能にしたものであってもよい。肩紐は本形態では左右２箇所に取り付けるように構成したがこれに限定されず、例えば１本の紐を首に架ける形態であってもよい。また２本の肩紐を背部でクロスさせて取り付けてもよい。さらに、肩紐を使用せずに単にシャーリングのゴムの力だけで上衣を胸部に固定させてもよい。
【図面の簡単な説明】
【００２４】
【図１】本考案の一実施形態の浴衣の上衣を示した図。
【図２】本考案の一実施形態の浴衣の下衣を示した図。
【図３】浴衣を着用した状態を示した図。
【図４】下衣に着脱可能な肩紐を示した図。
【図５】下衣に肩紐を取り付けてワンピースとして着用した状態を示した図。
【符号の説明】
【００２５】
１  浴衣
２  上衣
３  下衣
４  後身頃
５  右前身頃
６  左前身頃
７  右袖部
８  左袖部
１５  上部
２０  下端
【図１】
0003126466.tif 000003
【図２】
0003126466.tif 000004
【図３】
0003126466.tif 000005
【図４】
0003126466.tif 000006
【図５】
0003126466.tif 000007